(57)【要約】【課題】オープン操作が容易で確実に閉じられ、筐体を180°近くまで開くことができるプッシュオープンヒンジ装置の潤滑剤の漏れを防ぐとともに、製造コストを下げる。【解決手段】固定カムと可動カムとインナーカムとをケースに収納したプッシュオープンヒンジ部20と、トルク封止型のトーションバネをケースに収納したトーションバネヒンジ部30の２つを１組として、折畳型携帯電子機器40のセパレートプッシュオープンヒンジ装置とする。表示部筐体42を閉じる直前の位置で、トーションバネの作用端をバネ受け部の溝部に落として、ヒンジにトルクがかからなくする。全閉状態では、カムのみでロックされる。ボタンを押すと、キーがインナーカムから離れてロックが解除される。表示部筐体42が少し開いた位置で、トーションバネの作用端をバネ受け部の溝部からホルダの溝部に戻し、ホルダにトルクをかけて、表示部筐体42を開く。【選択図】図１
2005240901.tif 000002
【特許請求の範囲】
【請求項１】
固定カムと可動カムとインナーカムとキーシャフトとからなる複合カムを第１ケースに収納したプッシュオープンヒンジ部と、トーションバネとバネ受けシャフトとホルダとを第２ケースに収納したトルク封止型のトーションバネヒンジ部とを具備することを特徴とする折畳型携帯電子機器用のセパレートプッシュオープンヒンジ装置。
【請求項２】
前記プッシュオープンヒンジ部は、第１筐体に固定されるフランジと、前記フランジに固定された固定カムと、第２筐体に固定される第１ケースと、前記第１ケースにより回転方向の動きを規制され軸方向に動く可動カムと、前記可動カムを軸方向に沿って筐体外側方向に付勢するカム用圧縮スプリングと、前記可動カムと前記固定カムに挟まれたインナーカムと、前記固定カムと前記インナーカムとを係合するキーを有するキーシャフトと、前記キーシャフトを軸方向に沿って筐体外側方向に付勢するキー用圧縮スプリングと、前記キーシャフトを軸方向に沿って筐体内側方向に押すためのボタンと、前記第１ケースに固定され前記カム用圧縮スプリングと前記キー用圧縮スプリングを抑えるストッパーとを備えることを特徴とする請求項１記載の折畳型携帯電子機器用のセパレートプッシュオープンヒンジ装置。
【請求項３】
前記トーションバネヒンジ部は、第１筐体に固定されるキャップと、ピンにより前記キャップに固定されるバネ受けシャフトと、第２筐体に固定される第２ケースと、前記第２筐体に固定されるホルダと、固定端部と可動端部を有するトーションバネと、底部のフック爪で前記第２ケースにスナップフィットにより固定されて蓋となるストッパーとを備え、前記バネ受けシャフトは、トルク封止用溝部と、前記トーションバネの固定端部を固定するバネ固定部とを有し、前記ホルダは、前記トーションバネの可動端部を保持する溝部を有し、前記第１筐体と前記第２筐体の全開状態から全閉直前までの状態においては、前記トーションバネの可動端部は前記ホルダの溝部に係合し、前記第１筐体と前記第２筐体の全閉直前の状態から全閉状態においては、前記トーションバネの可動端部は前記バネ受けシャフトの封止用溝部に係合することを特徴とする請求項１記載の折畳型携帯電子機器用のセパレートプッシュオープンヒンジ装置。
【請求項４】
前記第１筐体と前記第２筐体を手動で開いた場合に、中間で停止することなく全開するように、前記インナーカムの傾斜カム面を形成したことを特徴とする請求項２記載のセパレートプッシュオープンヒンジ装置。
【請求項５】
前記第１筐体と前記第２筐体を手動で開いた場合に、中間で停止するように、前記インナーカムの傾斜カム面を形成したことを特徴とする請求項２記載のセパレートプッシュオープンヒンジ装置。
【請求項６】
前記第１筐体と前記第２筐体を手動で開いた場合に、中間の所定範囲でフリーストップするように、前記インナーカムの傾斜カム面を形成したことを特徴とする請求項２記載のセパレートプッシュオープンヒンジ装置。
【請求項７】
前記カム用圧縮スプリングを、２つの圧縮スプリングで構成したことを特徴とする請求項２記載のセパレートプッシュオープンヒンジ装置。
【発明の詳細な説明】
【技術分野】
【０００１】
本発明は、セパレートプッシュオープンヒンジ装置に関し、特に、折り畳まれた筐体をボタン操作によりワンタッチで開くことができる折畳型携帯電子機器用のセパレートプッシュオープンヒンジ装置に関する。
【背景技術】
【０００２】
折畳式携帯電話機は、表示部筐体と操作部筐体を、ヒンジ機構で開閉自在に結合してある。通話時などには、ヒンジ機構のオープンボタンを押す操作によりワンタッチで開くことができ、使用後には両筐体を手で折り畳むようになっている。トーションバネの開き方向のトルクに抗して表示部筐体を折り畳むと、カムが係合して、表示部筐体と操作部筐体は折り畳まれた状態でロックされる。オープンボタンを押すとカムの係合が外れ、トーションバネの開き方向のトルクによって、表示部筐体が回転して開く。表示部筐体が所定の角度まで開くとカムが係合して、表示部筐体が開いた状態でロックされる。
【０００３】
このプッシュオープンヒンジ装置では、閉じた状態におけるカムの係合力を強くしなければ、トーションバネのトルクに打ち勝つことができない。確実に閉じようとすると、カムの係合力を十分に強くする必要がある。その結果、カムの係合を解除するために強い力が必要になり、ボタンを押す力を強くすることになって、ボタン操作の容易性が犠牲となる。ボタン操作力が弱くてもよいようにすると、確実な閉止ができない。これを解決するために、本発明者は、特許文献１において、折畳式携帯電話機を開くためのボタン操作力を小さくして、オープン操作を容易にしても確実に閉じられるようにしたプッシュオープンヒンジ装置を提案した。
【０００４】
このヒンジ装置では、トーションバネの固定端を操作部筐体に固定し、作用端を表示部筐体に固定されたホルダの溝部に係止する。表示部筐体を閉じる直前の位置で、トーションバネの作用端がバネ受部の溝部に落ち、ホルダにはトルクがかからなくなる。この状態で可動カムの突起部を固定カムのカム溝に係合させて、表示部筐体を閉じる。開くときは、可動カムが離れる直前に、トーションバネの作用端が、バネ受部の溝部からホルダの溝部に戻り、ホルダにトルクがかかって、表示部筐体が開く。閉じた状態での可動カムにはトルクがかかっていないので、固定カムと可動カムの係合力は弱くてもよく、解除のためにボタンを押す力も小さくなる。
【０００５】
さらにオープン操作を容易にした従来のプッシュオープンヒンジ装置の例としては、特許文献２に開示された「電子機器用ヒンジ」がある。押釦を押すことにより自動的に使用可能な角度まで開き、片手で全開位置までフリーストップで開くことができる電子機器用ヒンジである。第１筐体と第２筐体が、互いに開閉可能に連結されている。押釦付きのプッシュオープンタイプの第１ヒンジにより、第１筐体と第２筐体を所定の開き角度まで自動的に開く。所定の自動開き角度から強くフリクショントルクを発生させるフリクションタイプの第２ヒンジを、プッシュオープンタイプの第１ヒンジと同軸に取り付ける。ロック手段は、いずれかのヒンジに設ける。
【０００６】
これらのプッシュオープンヒンジ装置では、筐体を180°近くまで開くことができなかったので、本発明者は、特許文献３において、カムの突起部をくの字形にすることにより、ボタン操作力を弱くして操作を容易にしても、筐体を180°近くまで開くことができるプッシュオープンヒンジ装置を提案した。このプッシュオープンヒンジ装置では、アウターカムとインナーカムと解除キーとからなる３重構造の複合可動カムを、表示部筐体に固定する。複合可動カムに当接する固定カムを、操作部筐体に固定する。アウターカムとインナーカムは、解除キーを介して係合している。筐体を閉じると、トーションバネのトルクは封止され、固定カムの突起部がインナーカムの突起を乗り越えて、全閉状態にロックされる。筐体の全閉状態でボタンを押すと、プランジャーが解除キーを押して、アウターカムとインナーカムの係合を解除する。固定カムの突起先端がアウターカムの斜面を滑り降りアウターカムの凹部まで達し、筐体が180°近くまで開く。
【特許文献１】特願2003-187036号明細書
【特許文献２】特開2003-161312号公報
【特許文献３】特願2003-426791号明細書
【発明の開示】
【発明が解決しようとする課題】
【０００７】
しかし、従来のプッシュオープンヒンジ装置では、回転中心軸としてシャフトを使用しているため、潤滑剤の漏れを防ぐことが困難であるという問題があった。
【０００８】
また、特許文献１及び３に開示されているような従来のプッシュオープンヒンジ装置では、１つのヒンジ装置の中に全てのヒンジ機能部材を内蔵しているので、ヒンジ装置の全長が必然的に長くなる。筐体のヒンジ装着部の反対側にダミーのヒンジを設ける必要があるので、筐体のヒンジ装着部におけるヒンジ無しの空隙部は非常に短くなる。そのため、第１筐体と第２筐体とを電気的に接続するフレキシブルケーブルを通すための幅を十分確保することが困難であった。このような従来のヒンジ装置では、狭い幅のフレキシブルケーブルを何枚も重ねて配置しなければならず、製造コストがかさむという問題があった。
【０００９】
本発明は、上記従来の問題を解決して、ヒンジ装置の潤滑剤の漏れを防ぐとともに、筐体のヒンジ装着部にフレキシブルケーブルを通すための幅を十分に確保して製造コストを下げることを目的とする。
【課題を解決するための手段】
【００１０】
上記の課題を解決するために、本発明では、セパレートプッシュオープンヒンジ装置を、固定カムと可動カムとインナーカムとキーシャフトとからなる複合カムを第１ケースに収納したプッシュオープンヒンジ部と、トーションバネとバネ受けシャフトとホルダとを第２ケースに収納したトルク封止型のトーションバネヒンジ部とを具備する構成とした。
【発明の効果】
【００１１】
本発明では、上記のように構成したことにより、オープン操作が容易で確実に閉じられ、筐体を180°近くまで開くことができるプッシュオープンヒンジ装置の潤滑剤の漏れを防ぐことができる。また、プッシュオープンヒンジ部とトーションバネヒンジ部を左右に分けてダミーヒンジを不要とすることで、各ヒンジ部の総全長を縮小でき、第１筐体と第２筐体とを接続するフレキシブルケーブル用の隙間幅を、携帯機器のヒンジ装着部中央部に十分確保できる。その結果、フレキシブルケーブルを何枚も重ねることなく配置することができ、フレキシブルケーブルにかかるコストの上昇を防ぐことができる。
【発明を実施するための最良の形態】
【００１２】
以下、本発明の実施例について、図１〜図25を参照しながら詳細に説明する。
【実施例】
【００１３】
本発明の実施例は、固定カムと可動カムとインナーカムとキーシャフトとからなる複合カムを第１ケースに収納したプッシュオープンヒンジ部を、折畳型携帯電子機器の一方のヒンジ取付部に取り付け、トルク封止型のトーションバネとバネ受けシャフトとホルダとを第２ケースに収納したトーションバネヒンジ部を、折畳型携帯電子機器の他方のヒンジ取付部に取り付ける、折畳型携帯電子機器用のセパレートプッシュオープンヒンジ装置である。
【００１４】
図１は、本発明の実施例におけるセパレートプッシュオープンヒンジ装置の斜視図である。図１において、プッシュオープンヒンジ部20は、固定カムと可動カムとインナーカムとキーシャフトとからなる複合カムをケースに収納したヒンジ部である。トーションバネヒンジ部30は、トルク封止型のトーションバネとバネ受けシャフトとホルダとをケースに収納したヒンジ部である。折畳型携帯電子機器40は、携帯電話機などの携帯型の電子機器である。操作部筐体41は、キーボードなどのある筐体である。表示部筐体42は、表示装置のある筐体である。
【００１５】
プッシュオープンヒンジ部の構成を説明する。図２（ａ）は、プッシュオープンヒンジ部の前面組立斜視図である。図２（ｂ）は、プッシュオープンヒンジ部の前面分解斜視図である。図２（ｃ）は、プッシュオープンヒンジ部の複合カムの前面分解斜視図である。図３（ａ）は、プッシュオープンヒンジ部の裏面組立斜視図である。図３（ｂ）は、プッシュオープンヒンジ部の裏面分解斜視図である。図３（ｃ）は、プッシュオープンヒンジ部の複合カムの裏面分解斜視図である。図２と図３において、ボタン１は、筐体を開くための押しボタンである。フランジ２は、固定カムを第１筐体（操作部筐体）に固定するための手段である。ケース３は、プッシュオープンヒンジ部を第２筐体（表示部筐体）に固定するための手段である。ケースは、第２筐体と同期して回転する。
【００１６】
固定カム４は、第１筐体にフランジを介して固定されているカムである。固定カム４の突起部は、くの字型をしている。ボタン１が押下されると、可動カム７の突起部は固定カム４のカム斜面に当接して、第２筐体を回転させる。全開位置の保持機能も持つ。キーシャフト５は、回転角度については、第１筐体と同期するが、軸方向には動くシャフトである。ボタン１の押下によって軸方向に動き、インナーカム６を自由回転させる。インナーカム６は、キーシャフト５と噛み合った時は、固定カム４と係合して回転しない。ボタン１の押下によって、キーシャフト５のキーとの噛み合いが離脱するとフリーとなり、可動カム７に押されて自由回転する。手動動作の場合は、常に可動カム７の突起部がインナーカム６の斜面に当接しており、全開位置の保持・フリーストップ又は中間停止・開放動作・閉止動作の機能を持つ。
【００１７】
可動カム７は、ケース３と同期して回転し、軸方向にも動くカムである。可動カム７の突起部は、くの字型をしている。第１圧縮スプリング８と第２圧縮スプリング９は、可動カム７を付勢して固定カム４又はインナーカム６に当接させるカム用圧縮スプリングである。カム用圧縮スプリングは１つでもよい。第３圧縮スプリング10は、キーシャフト５を付勢して固定カム４とインナーカム６を同期させると共に、ボタン１を押し戻すキー用圧縮スプリングである。ストッパー11は、ケース３にスナップフィットにより固定され、蓋となるストッパーである。ストッパー11の底部には、第２筐体にスナップフィットにより取り付けて固定するためのフック爪がある。
【００１８】
図４は、プッシュオープンヒンジ部の軸に垂直な断面図である。図４（ａ）は、キーシャフト５のキーとインナーカム６の溝が係合している状態を示す図である。図４（ｂ）は、キーシャフト５のキーがインナーカム６の溝から離脱している状態を示す図である。
【００１９】
図５〜図16は、プッシュオープンヒンジ部の複合カムの動作説明図である。円周方向を直線に展開して360°以上に亘って示してある。図５〜図８は、全開型インナーカムを備えた複合カムの展開図である。図５（ａ）は、全開型インナーカムを備えた複合カムの全閉位置の展開図である。図５（ｂ）は、同じく全閉位置でボタン１を押したときの展開図である。図６（ａ）は、同じくボタン１を押して開く途中の位置の展開図である。図６（ｂ）は、同じく全開位置の展開図である。図７（ａ）は、ボタン復帰状態全開位置の展開図である。インナーカム６が180°回転した状態である。図７（ｂ）は、手動閉方向途中動作位置の展開図である。インナーカム６が180°回転した状態である。図８は、同じく全閉位置の展開図であり、インナーカム６が180°回転した状態であるが、外観上は図５（ａ）と同じである。
【００２０】
図９〜図12は、フリーストップ型インナーカムを備えた複合カムの展開図である。図９（ａ）は、フリーストップ型インナーカムを備えた複合カムの全閉位置の展開図である。図９（ｂ）は、同じく全閉位置でボタン１を押したときの展開図である。図10（ａ）は、同じくボタン１を押して開く途中の位置の展開図である。図10（ｂ）は、同じく全開位置の展開図である。図11（ａ）は、ボタン復帰状態全開位置の展開図である。インナーカム６が180°回転した状態である。図11（ｂ）は、同じく手動で開いて中間停止位置で止めた状態の展開図である。インナーカム６が180°回転した状態である。図12（ａ）は、手動閉方向途中動作位置の展開図である。インナーカム６が180°回転した状態である。図12（ｂ）は、同じく全閉位置の展開図であり、インナーカム６が180°回転した状態であるが、外観上は図９（ａ）と同じである。
【００２１】
図13〜図16は、中間停止型インナーカムを備えた複合カムの展開図である。図13（ａ）は、中間停止型インナーカムを備えた複合カムの全閉位置の展開図である。図13（ｂ）は、同じく全閉位置でボタン１を押したときの展開図である。図14（ａ）は、同じくボタン１を押して開く途中の位置の展開図である。図14（ｂ）は、同じく全開位置の展開図である。図15（ａ）は、ボタン復帰状態全開位置の展開図である。インナーカム６が180°回転した状態である。図15（ｂ）は、同じく手動で開いて中間停止位置で止めた状態の展開図である。インナーカム６が180°回転した状態である。図16（ａ）は、手動閉方向途中動作位置の展開図である。インナーカム６が180°回転した状態である。図16（ｂ）は、同じく全閉位置の展開図であり、インナーカム６が180°回転した状態であるが、外観上は図13（ａ）と同じである。
【００２２】
図17と図18を参照しながら、トーションバネヒンジ部の構成を説明する。図17（ａ）は、トーションバネヒンジ部の前面組立斜視図である。図17（ｂ）は、トーションバネヒンジ部の前面分解斜視図である。図18（ａ）は、トーションバネヒンジ部の裏面組立斜視図である。図18（ｂ）は、トーションバネヒンジ部の裏面組立斜視図である。図19は、トーションバネの可動端部の動きを説明する図である。トーションバネヒンジ部は、第１筐体に固定されるキャップ12と、ピン13によりキャップ12に固定されるバネ受けシャフト16と、第２筐体に固定されるケース14と、第２筐体に固定されるホルダ15と、固定端部と可動端部を有するトーションバネ17と、底部のフック爪でケース14にスナップフィットにより固定されて蓋となるストッパー18とを備える。バネ受けシャフト16は、トルク封止用溝部と、トーションバネ17の固定端部を固定するバネ固定部とを有する。ホルダ15は、トーションバネ17の可動端部を保持する溝部を有する。
【００２３】
図17と図18において、キャップ12は、第１筐体固定用のキャップである。バネ受けシャフト16と第１筐体を固定するとともに、外観意匠部となる。ピン13は、キャップ12とバネ受けシャフト16とを固定するピンである。ケース14は、第２筐体固定用のケースであって、第２筐体と同期して回転する。ホルダ15は、トーションバネ17の可動端部を保持してケース14と同期して回転するホルダである。第２筐体の回転によってねじりバネ力を発生させる。トルク封止用の溝部を持つ。バネ受けシャフト16は、キャップ12に固定されるバネ受けシャフトである。トーションバネ17の固定端部が固定されている。全閉直前の約20°付近でトーションバネ17の可動端部が係合して、トルク封止機構として働く溝部がある。トーションバネ17は、ねじり力を発生するトーションバネである。一端がバネ受けシャフト16に固定されている。他端は、ホルダ15の溝部に係合される。ストッパー18は、ケース14にスナップフィットにより固定されて蓋となるストッパーである。スナップフィットにより第２筐体に取り付けて固定するフック爪を底部に持つ。
【００２４】
図20〜図25は、本発明の実施例におけるセパレートプッシュオープンヒンジ装置の軸方向断面図である。図20は、ヒンジ取付時の状態を示す軸方向断面図である。図21は、全開時の状態を示す軸方向断面図である。図22は、フリーストップ時の状態を示す軸方向断面図である。図23は、カム頂点時と全閉時の状態を示す軸方向断面図である。図24は、ボタンプッシュによる開放途中の状態を示す軸方向断面図である。図25は、ボタンプッシュによる全開放時の状態を示す軸方向断面図である。
【００２５】
上記のように構成された本発明の実施例におけるセパレートプッシュオープンヒンジ装置の動作を説明する。最初に、図１を参照しながら、セパレートプッシュオープンヒンジ装置の概要を説明する。固定カムと可動カムとインナーカムとキーシャフトからなる複合カムをケースに収納したプッシュオープンヒンジ部20と、トルク封止型のトーションバネとバネ受けシャフトとホルダとをケースに収納したトーションバネヒンジ部30の２つを１組として、折畳型携帯電子機器40のヒンジ取付部に取り付け、セパレートプッシュオープンヒンジ装置とする。表示部筐体42を閉じる直前の位置で、トーションバネの作用端をバネ受け部の溝部に落として、ヒンジにトルクがかからなくする。全閉状態では、複合カムのみでロックされる。ボタンを押すと、キーがインナーカムから離れてロックが解除される。表示部筐体42が少し開いた位置で、トーションバネの作用端をバネ受け部の溝部からホルダの溝部に戻し、ホルダにトルクをかけて、表示部筐体42を開く。
【００２６】
図２と図３を参照しながら、プッシュオープンヒンジ部の機能を説明する。プッシュオープンヒンジ部の一方の回転部材（操作部筐体と同期して動く部材）は、フランジ２を介して第１筐体（操作部筐体）に固定されている。プッシュオープンヒンジ部の他方の回転部材（表示部筐体と同期して動く部材）は、ケース３を介して第２筐体（表示部筐体）に固定されている。固定カム４は、フランジ２に固定されている。
【００２７】
可動カム７は、ケース３と同期して回転し、軸方向にも動く。可動カム７は、第１圧縮スプリング８と第２圧縮スプリング９の弾性力により、インナーカム６に常に押し付けられている。ボタン１の押下によってインナーカム６とキーシャフト５のキーの噛み合いが離脱するとインナーカム６がフリーとなり、可動カム７はインナーカム６を押して自由回転させ、固定カム４に押し付けられて全開まで開く。インナーカム６は、キーシャフト５と噛み合った時は、固定カム４に常に押し付けられている。インナーカム６は、キーシャフト５と噛み合った時は、固定カム４と係合して回転しない。ボタン１の押下によってキーシャフト５のキーとの噛み合いが離脱するとフリーとなり、可動カム７に押されて自由回転する。手動動作の場合は常に固定カム４と係合しており、可動カム７の突起に当接している。
【００２８】
全開位置（表示部筐体と操作部筐体の開き角度が180°近くの位置）では、可動カム７の突起部は、固定カム４の突起部の基部の窪みに入り込んでおり、可動カム７の突起部と固定カム４の突起部は、互いに最も深くかみ合っている。可動カム７の突起部は、くの字型をしており、180°を超えて回転できるので、全開状態と全閉状態での状態保持のための余裕をとっても、筐体を180°近くまで開くことができる。全開状態のとき、可動カム７の突起部は、固定カム４のカム斜面の端の斜面を押し付けた状態になっている。表示部筐体は、操作部筐体に当たって限界まで開いているので、操作部筐体による抵抗力とカム斜面からの力が釣り合って、ガタの無い状態で安定して全開状態を保持している。
【００２９】
表示部筐体と操作部筐体を閉じる方向に手で力を加えると、可動カム７の突起部が、固定カム４のカム斜面を押す力が大きくなり、第１圧縮スプリング８と第２圧縮スプリング９の弾性力に打ち勝って、可動カム７の突起部が、固定カム４に係合しているインナーカム６の斜面を登っていく。表示部筐体は、第１圧縮スプリング８と第２圧縮スプリング９を圧縮しながら、閉じられていく。
【００３０】
可動カム７の突起部がインナーカム６の突起部を越えると、第１圧縮スプリング８と第２圧縮スプリング９の弾性力で、カム斜面から閉じる方向の力を受け、表示部筐体は全閉状態まで閉じられる。このときも、可動カム７の突起部は、インナーカム６のカム斜面を押し付けながら止まっている。表示部筐体は、操作部筐体に当たって限界まで閉じているので、操作部筐体による抵抗力とカム斜面の抵抗力が釣り合って、ガタの無い状態で安定して全閉状態を保持している。第１圧縮スプリング８と第２圧縮スプリング９と固定カム４による全閉時の閉方向への引き込み力により、安定に閉状態を維持できる。
【００３１】
筐体の全閉状態においては、固定カム４とインナーカム６は係合しており、可動カム７の突起部は、インナーカム６の頂部を超えた位置で止まっている。第１圧縮スプリング８と第２圧縮スプリング９は、可動カム７を付勢して、インナーカム６に当接させ、筐体に閉方向の力を与えている。ボタン１とキーシャフト５は、第３圧縮スプリング10に付勢されて、軸方向の筐体外側に押されている。ボタン１を押すと、キーシャフト５が押されて、軸方向に沿って筐体の内側方向に動き、インナーカム６と固定カム４との係合が外れる。固定カム４のカム斜面は可動カム７の突起部と当接して、第２筐体を回転させる。
【００３２】
表示部筐体と操作部筐体が全閉状態のとき、ボタン１を押すと、キーシャフト５が押され、キーがインナーカム６から外れ、インナーカム６と固定カム４の係合が解除される。第１圧縮スプリング８と第２圧縮スプリング９の弾性力はキーには掛かっていないので、ボタン１を押す力は弱くてもよく、操作性がよい。インナーカム６は自由回転するようになるので、可動カム７の突起部は、固定カム４のカム斜面に当接する。可動カム７は、第１圧縮スプリング８と第２圧縮スプリング９に押されて回転する。表示部筐体には、開き方向の回転モーメントが加わって、開き始める。
【００３３】
表示部筐体がほぼ165°まで開くと、表示部筐体は全開状態になる。可動カム７の突起部が、固定カム４のカム斜面の端にかかった状態で、第１圧縮スプリング８と第２圧縮スプリング９の弾性力により、開く方向の力を受ける。インナーカム６は180°回転して、キー溝が固定カム４と一致した状態になる。キーシャフト５のキーはキー溝に嵌り、インナーカム６と固定カム４は係合される。
【００３４】
図４を参照しながら、キーシャフト５の機能を説明する。同期状態では、固定カム４のキー溝とインナーカム６のキー溝の位置が一致して、キーがインナーカム６のキー溝に嵌り、インナーカム６が固定カム４に係合して回転しない状態になっている。キーは、常に固定カム４のキー溝に嵌っており、キーと固定カムは回転しない。筐体の全閉状態でボタン１を押すと、キーシャフト５が押されて、軸方向内側にスライドし、インナーカム６のキー溝からキーが外れる。インナーカム６は自由回転状態になり、可動カム７の突起部に押されて、固定カム４と非係合になって動く。
【００３５】
全閉状態では、キーシャフト５は、インナーカム６と固定カム４を係合しているので、両者は一体となっている。このとき、可動カム７の突起部がインナーカム６の突起部を越えている。可動カム７は第１圧縮スプリング８と第２圧縮スプリング９に押されているので、筐体を閉じる方向に力が働く。筐体はこれ以上閉じないので、閉じた状態で安定している。筐体の全開状態でボタン１を押すと、インナーカム６の係合が解除され、全閉状態にしてもロックしない。再度全開状態にしてから閉じればロックされるので、使用上に格別の不都合はない。
【００３６】
図５〜図８を参照しながら、複合カムの動作を説明する。図５（ａ）を参照しながら、全閉位置におけるカムの状態を説明する。キーは、インナーカム６と固定カム４を係合しているので、両者は一体となっている。可動カム７の突起部がインナーカム６の突起部を越えている。インナーカム６は第１圧縮スプリング８と第２圧縮スプリング９に押されているので、筐体を閉じる方向に力が働く。筐体はこれ以上閉じないので、閉じた状態で安定している。
【００３７】
インナーカム６は、キーシャフト５のキー部により回転止めされている。固定カム４は、第１筐体に固定されているフランジ２によって、回転止めされている。可動カム７は、第２筐体に固定されたケースに回転止めされて、ヒンジ軸方向のみ移動可能である。筐体を閉める動作により、可動カム７の突起部は、インナーカム６のカム斜面に当接して摺動する。全閉位置では、可動カム７と固定カム４との間にクリアランスのある状態で止まっており、更に閉まる方向に力が作用している。
【００３８】
図５（ｂ）を参照しながら、全閉位置でボタン１を押したときのカムの状態を説明する。ボタン１にキーシャフトが押されて、キーがインナーカム６から離れる。インナーカム６は自由回転するようになり、可動カム７の突起部に押されて回転する。可動カム７の突起部は、固定カム４のカム斜面に当接する。ボタン１の押下により、キーシャフト５がヒンジ軸方向に沿って、筐体内側方向に押し下げられる。すると、インナーカム６を回転止めしていたキーシャフト５のキー部が、インナーカム６のキー溝より離脱する。固定カム４に係合していたインナーカム６が、回転抑制を解除される。可動カム７は、底部を圧縮スプリングによって付勢されている。そのため、可動カム７の突起部は、固定カム４のカム斜面まで押される。インナーカム６は、可動カム７の先端によって、ヒンジ軸を中心に回転させられる。
【００３９】
図６（ａ）を参照しながら、全閉位置から半開になったときのカムの状態を説明する。可動カム７の突起部は、固定カム４のカム斜面をすべりながら、筐体を開く方向に動く。固定カム４は、第１圧縮スプリング８と第２圧縮スプリング９に押されているので、筐体を開く方向に力をかける。インナーカム６は可動カム７の突起部に押されて回転する。ボタン１の押下により全閉状態を解除されると、可動カム７の突起部の先端は、固定カム４の急傾斜カム斜面に当接しながら滑り降りる。急傾斜カム斜面の角度と圧縮スプリングの荷重を調節して、第２筐体による閉じ方向モーメント以上の開き方向モーメントが生じるように設定することで、第２筐体を開き方向に動かすことができる。
【００４０】
また、急傾斜カム斜面の範囲内にある状態で、トーションヒンジ側のトーション封止を解除させることにより、緩傾斜カム斜面に移行した時は、トーションヒンジ側のトーションバネのねじり力によって、全開まで開くことができる。開き動作の機能を２つのヒンジに分けて作用させることにより、プッシュオープンヒンジ側のカム高さを低く抑えることが可能であり、プッシュオープンヒンジ側の全長を短く設定することが可能となる。
【００４１】
図６（ｂ）を参照しながら、全開位置になったときの複合カムの状態を説明する。可動カム７の突起部は、固定カム４のカム斜面の端で止まる。筐体は165°程度で全開しているので、カムの力と筐体の抵抗力で安定して全開状態となっている。インナーカム６は180°回転してキー溝が固定カム４と一致した状態になる。ボタン１を復帰させると、図７（ａ）に示すように、キーがキー溝に入り、両者を係合する。
【００４２】
第１筐体と第２筐体との全開角度は180°以下のため、全開位置では、インナーカム６は180°まで回転することができない。そこで、キーシャフト５のキー部先端と、インナーカム６のキー溝入り口部を、面取りする。第３圧縮スプリングによって、キーシャフト５の底部がボタン１側に付勢されているので、ボタン１から手を離すと、インナーカム６のキー溝入り口の面取り部が、キーシャフト５のキー部先端の面取り部に誘われて、インナーカム６は更に回転する。キーシャフト５のキー部が、インナーカム６のキー溝に嵌入する。インナーカム６は、当初の位置より180°反転して、固定カム４に固定される。
【００４３】
図７（ｂ）を参照しながら、全開状態から手動で閉じるときのカムの状態を説明する。全開位置から筐体を手で閉じると、インナーカム６と固定カム４が係合した状態で、可動カム７の突起部がインナーカム６のカム斜面を登る。可動カム７の突起部がインナーカム６の突起部を越えると、筐体を閉じる方向に力が働いて安定に閉じられ、図８に示す状態になる。インナーカム６は、ボタン押下にて開くときは回転して可動カム７に追従しており、閉まるときは固定カム４と係合して止まっている。したがって、開閉ごとに180°同じ方向に回転することになる。
【００４４】
ボタン１押下により全開まで開いた後、ボタン１から手を離すことで、キーシャフト５とインナーカム６が、キー部によって固定される。手動で第２筐体を閉める動作により、可動カム７のカム先端部は、インナーカム６のカム斜面に当接して摺動する。この時、インナーカム６は、当初の位置より180°反転した状態となっている。更に閉める動作を続けると、最終的に全閉状態となる。再度、可動カム７の突起部の先端は、インナーカム６の突起部の頂上を乗り越えて、逆側のカム斜面に位置する。第１筐体と第２筐体の物理的な閉止状態により、カム斜面の途中で止まることとなり、閉止状態が安定に維持される。
【００４５】
図９〜図12は、フリーストップ型インナーカムを備えた複合カムの動作を示す図である。図９〜図11（ａ）に示すフリーストップ型のカムの状態は、図５〜図７（ａ）に示したものと同じである。図11（ｂ）を参照しながら、フリーストップ型を手動で開いて中間位置で停止した状態を説明する。全閉位置から筐体を手動で開くと、インナーカム６と固定カム４が係合した状態で、可動カム７の突起部がインナーカム６のカム斜面を登る。インナーカム６のカム斜面には途中にゆるい斜面が設けてあるので、可動カム７の突起部は、その斜面で閉じる方向の弱い力を受け、筐体は中間位置でフリーストップ状態になって停止する。この斜面の範囲で、筐体を自由に任意の位置で止めることができる。さらに筐体を手動で開くと、全開位置で安定に停止する。図12（ａ）に示すフリーストップ型を手動で閉じるときのカムの状態は、図７（ｂ）に示したものと同じである。図12（ｂ）に示すフリーストップ型を再び全閉位置にしたときのカムの状態は、図８に示したものと同じである。
【００４６】
キーシャフト５のキー部により、固定カム４とインナーカム６とキーシャフト５とが回転止めされる。固定カム４は、フランジ２によって回転止めされて、第１筐体に固定されている。第２筐体に固定されたケース３に回転止めされて、ヒンジ軸方向にのみ移動可能な可動カム７は、第２筐体を閉める動作により、インナーカム６のカム斜面に当接して摺動する。全閉位置では、可動カム７と固定カム４にクリアランスのある状態で止まっており、更に閉まる方向に力が作用する。
【００４７】
ボタン１押下により、キーシャフト５がヒンジ軸方向に押し下げられると、インナーカム６を回転止めしていたキーシャフト５のキー部が、インナーカム６のキー溝から離脱する。固定カム４に固定されていたインナーカム６の回転抑制が解除される。可動カム７は、圧縮スプリングによって付勢されて、固定カム４のカム斜面まで押される。インナーカム６は、可動カム７の突起部の先端によって、ヒンジ軸を中心に回転させられる。
【００４８】
ボタン１押下により、全閉状態を解除されると、可動カム７の突起部の先端は、固定カム４の急傾斜カム斜面に当接しなら滑り降りる。急傾斜カム斜面の角度と圧縮スプリングの荷重を調整して、第２筐体による閉じ方向のモーメント以上の開き方向のモーメントを発生するように設定することで、第２筐体を解放方向に動作させることができる。また、急傾斜カム斜面の範囲内にある状態で、トーションヒンジ側のトーション封止を解除させることにより、緩傾斜カム斜面に移行した時は、トーションヒンジ側のトーションバネのねじり力によって、全開まで解放動作させる。解放動作の機能を２つのヒンジに分けて作用させることにより、プッシュオープンヒンジ側のカム高さを低く抑えることができ、プッシュオープンヒンジ側の全長を短く設定することが可能となる。
【００４９】
第１筐体と第２筐体との全開角度は180°以下のため、全開位置では、インナーカム６は180°まで回転することができない。そこで、キーシャフト５のキー部先端と、インナーカム６のキー溝入り口部を、面取りする。キーシャフト５は、圧縮スプリングによってボタン１側に付勢されているので、ボタン１から手を離すと、インナーカム６のキー溝入り口の面取り部が、キーシャフト５のキー部先端の面取り部に誘われて、インナーカム６は更に回転する。キーシャフト５のキー部が、インナーカム６のキー溝に嵌入する。インナーカム６は、当初の位置より180°反転して、固定カム４に固定される。
【００５０】
ボタン１押下により全開まで開いた後、ボタン１から手を離すことで、キーシャフト５とインナーカム６が、キー部によって固定される。手動で第２筐体を閉める動作により、可動カム７の突起部の先端は、インナーカム６のカム斜面に当接しながら摺動する。この時、インナーカム６は、当初の位置より180°反転した状態となっている。
【００５１】
可動カム７は、インナーカム６のカム斜面に当接しながら摺動する。第１筐体と第２筐体の開き角度が、約90°〜約140°程度の範囲においては、第２筐体による開き方向のモーメントよりも僅かに大きい閉じ方向のモーメントを発生するように、傾斜角度を設定する。この範囲で、フリーストップとすることができる。フリーストップ範囲を越えて、更に閉じ方向に手動動作させると、可動カム７の突起部の先端は、インナーカム６のカム斜面を登る。この時、圧縮スプリングの付勢力により、開く方向の力に抗して第２筐体を閉じ方向に動かす。更に閉める動作を続けると、最終的に全閉状態となり、可動カム７の突起部の先端は再度、インナーカム６の突起部の頂上を乗り越えて、逆側のカム斜面に位置する。第１筐体と第２筐体の物理的な閉止状態により、カム斜面の途中で止まることとなり、閉止状態が安定に維持される。
【００５２】
図13〜図16は、中間停止型インナーカムを備えた複合カムの動作を示す図である。第１筐体と第２筐体の開き角度が約125°になるインナーカム６のカム斜面に、凹部を設ける。この凹部に可動カム７の突起部の先端を嵌り込ませ、中間停止位置とする。図13〜図15（ａ）に示すカムの状態は、図５〜図７（ａ）に示したものと同じである。図15（ｂ）を参照しながら、中間停止型を手動で開いて中間位置で停止した状態を説明する。全閉位置から筐体を手動で開くと、インナーカム６と固定カム４が係合した状態で、可動カム７の突起部がインナーカム６のカム斜面を登る。インナーカム６のカム斜面には途中に窪みが設けてあるので、可動カム７の突起部は窪みに嵌り、筐体は中間位置で安定に停止する。さらに筐体を手動で開くと、全開位置で安定に停止する。図16（ａ）に示す中間停止型を手動で閉じるときのカムの状態は、図７（ｂ）に示したものと同じである。図12（ｂ）に示す中間停止型を再び全閉位置にしたときのカムの状態は、図８に示したものと同じである。
【００５３】
キーシャフト５のキー部により、インナーカム６が固定カム４に回転止めされる。固定カム４は、フランジ２によって回転止めされて、第１筐体に固定されている。第２筐体に固定されたケース３に回転止めされて、ヒンジ軸方向にのみ移動可能な可動カム７は、第２筐体を閉める動作により、インナーカム６のカム斜面に当接しながら摺動する。全閉位置では、可動カム７と固定カム４にクリアランスのある状態で止まっており、更に閉まる方向に力が作用する。
【００５４】
ボタン１押下により、キーシャフト５がヒンジ軸方向に押し下げられると、インナーカム６を回転止めしていたキーシャフト５のキー部が、インナーカム６のキー溝より離脱する。固定カム４に固定されていたインナーカム６の回転抑制が解除される。可動カム７は、圧縮スプリングによって付勢されて、固定カム４のカム斜面まで押される。インナーカム６は、可動カム７の突起部の先端によって、ヒンジ軸を中心に回転させられる。
【００５５】
ボタン１押下により、全閉状態を解除されると、可動カム７の突起部の先端は、固定カム４の急傾斜カム斜面に当接しながら滑り降りる。急傾斜カム斜面の角度と圧縮スプリングの力を調整して、第２筐体による閉じ方向のモーメント以上の開き方向のモーメントが発生するように設定することで、第２筐体を解放方向に動作させる。また、急傾斜カム斜面の範囲内にある状態で、トーションヒンジ側のトーション封止を解除させることにより、緩傾斜カム斜面に移行した時は、トーションヒンジ側のトーションバネのねじり力によって、全開まで解放動作させる。解放動作の機能を２つのヒンジに分けて作用させることにより、プッシュオープンヒンジ側のカム高さを低く抑えることができ、プッシュオープンヒンジ側の全長を短く設定することが可能となる。
【００５６】
第１筐体と第２筐体との全開角度は180°以下のため、全開位置ではインナーカム６は180°まで回転することができない。そこで、キーシャフト５のキー部先端と、インナーカム６のキー溝入り口部を、面取りする。キーシャフト５は、圧縮スプリングによってボタン１側に付勢されているので、ボタン１から手を離すと、インナーカム６のキー溝入り口の面取り部が、キーシャフト５のキー部先端の面取り部に誘われて、インナーカム６は更に回転する。キーシャフト５のキー部が、インナーカム６のキー溝に嵌入する。インナーカム６は、当初の位置より180°反転して、固定カム４に固定される。
【００５７】
ボタン１押下により全開まで開いた後、ボタン１から手を離すことで、キーシャフト５とインナーカム６が、キー部によって固定される。手動で第２筐体を閉める動作により、可動カム７の突起部の先端は、インナーカム６のカム斜面に当接しながら摺動する。この時、インナーカム６は、当初の位置より180°反転した状態となっている。可動カム７は、インナーカム６のカム斜面に当接しながら摺動する。
【００５８】
全閉位置からのボタン１押下による解除の場合は、可動カム７の突起部の先端が固定カム４のカム斜面に当接しながら摺動するので、一時停止せず、全開まで開く動作となる。手動開閉操作の場合は、可動カム７の突起部の先端が、インナーカム６のカム斜面に当接しながら摺動するため、必ず一時停止する。
【００５９】
中間停止位置を超えて、更に閉じ方向に手動動作させると、可動カム７の突起部の先端は、インナーカム６のカム斜面を登る。この時、圧縮スプリングの付勢力により、開く方向の力に抗して第２筐体を閉じ方向に動かすこととなる。更に閉める動作を続けると、最終的に全閉状態となる。可動カム７の突起部の先端は、再度、インナーカム６の突起部の頂上を乗り越えて、逆側のカム斜面に位置する。第１筐体と第２筐体の物理的な閉止状態により、カム斜面の途中で止まることとなり、閉止状態が安定に維持される。
【００６０】
図17と図18を参照しながら、トーションバネヒンジ部の動作を説明する。第１筐体と第２筐体の全開状態から全閉直前までの状態においては、トーションバネの可動端部はホルダの溝部に係合する。第１筐体と第２筐体の全閉直前の状態から全閉状態においては、トーションバネの可動端部は、バネ受けシャフトの封止用溝部に係合する。表示部筐体と操作部筐体の開き角度が、全開状態からほぼ20°まで閉じられると、トーションバネ17の可動端部は、ホルダ15の溝から抜けて、バネ受シャフト16の溝に落ち、ホルダ15は、トーションバネ17のトルクを受けなくなる。したがって、表示部筐体には、トーションバネ17による開き方向の回転モーメントが無くなる。
【００６１】
表示部筐体と操作部筐体の開き角度が、全閉状態からほぼ20°まで開かれると、トーションバネ17の可動端部が、バネ受シャフト16の溝から出て、ホルダ15の溝に落ち込むので、ホルダ15は、トーションバネ17のトルクを再び受けるようになる。したがって、表示部筐体には、トーションバネ17による開き方向の回転モーメントが加わって、開き始める。
【００６２】
図19を参照しながら、トーションバネ17のトルク封止動作を説明する。表示部筐体と操作部筐体の開き角度が20°より大きい場合は、ホルダ15の溝部の中に、トーションバネ17の可動端部が入っている。ホルダ15が回転して、表示部筐体と操作部筐体の開き角度が20°になるまで閉じられると、可動端部は、溝部と溝部の中間に来る。表示部筐体と操作部筐体の開き角度が20°より小さくなると、可動端部は、バネ受シャフト16の溝部に落ちる。この状態では、トーションバネ17のトルクは、バネ受シャフト16が受けるので、ホルダ15にトルクはかからない。表示部筐体と操作部筐体が全閉状態から開く際には、表示部筐体と操作部筐体の開き角度が20°より大きくなると、トーションバネ17のトルクがホルダ15にかかるようになり、表示部筐体と操作部筐体が自動的に開く。
【００６３】
図20〜図25を参照しながら、セパレートプッシュオープンヒンジ装置の動作を説明する。ただし、図21〜図25では、トーションバネの図示は省略してある。図20に示すように、筐体を、全開状態を超えた約173°まで開いた状態にして、プッシュオープンヒンジ部20とトーションバネヒンジ部30を、折畳型携帯電子機器のヒンジ取付部に挿入する。図21に示すように、筐体を全開状態にすると、約165°まで開く。この状態では、複合カムは最も深く噛み合っている。図22に示すように、フリーストップ型インナーカムを備えたヒンジ装置の場合、筐体を手動で約120°に開いた状態では、フリーストップ状態になる。可動カム７の突起部は、インナーカム６のゆるい斜面で閉じる方向の弱い力を受け、筐体は中間位置でフリーストップ状態になって停止する。
【００６４】
図23（ａ）に示すように、筐体を約18.5°まで閉じると、トーションバネのトルクが封止されて、開き方向のモーメントは、カムによるものだけになる。カムの頂点ではトルクは無くなる。図23（ｂ）に示すように、筐体の全閉状態では、カムのトルクは閉じ方向になり、安定に閉状態が維持される。図23（ｃ）に示すように、筐体の全閉状態でボタン１を押すと、インナーカム６の係合が解除されて、ロックが外れる。図24に示すように、ロックが外れると開き方向のトルクが働き、筐体は約20°まで開く。その状態で、トーションバネの封止が外れて、トーションバネによる開き方向のトルクが働く。その後、筐体は強い力で開かれる。図25に示すように、筐体は自動的に約165°まで全開する。
【００６５】
上記のように、本発明の実施例では、セパレートプッシュオープンヒンジ装置を、固定カムと可動カムとインナーカムとキーシャフトとからなる複合カムを第１ケースに収納したプッシュオープンヒンジ部を、折畳型携帯電子機器の一方のヒンジ取付部に取り付け、トルク封止型のトーションバネとバネ受けシャフトとホルダとを第２ケースに収納したトーションバネヒンジ部を、折畳型携帯電子機器の他方のヒンジ取付部に取り付ける構成としたので、オープン操作が容易で確実に閉じることができ、筐体を180°近くまで開くことができるようにしても、潤滑剤の漏れを防ぐことができる。また、筐体のヒンジ装着部にフレキシブルケーブルを通す幅を十分に確保でき、フレキシブルケーブルにかかる製造コストを下げることができる。
【産業上の利用可能性】
【００６６】
本発明のセパレートプッシュオープンヒンジ装置は、携帯電話機のプッシュオープンヒンジ装置として最適である。また、携帯型の電子機器のプッシュオープンヒンジ装置としても好適である。
【図面の簡単な説明】
【００６７】
【図１】本発明の実施例におけるセパレートプッシュオープンヒンジ装置の斜視図、
【図２】本発明の実施例におけるプッシュオープンヒンジ部の前面組立斜視図と前面分解斜視図、
【図３】本発明の実施例におけるプッシュオープンヒンジ部の裏面組立斜視図と裏面分解斜視図、
【図４】本発明の実施例におけるプッシュオープンヒンジ部の軸に垂直な断面図、
【図５】本発明の実施例におけるプッシュオープンヒンジ部の全開型インナーカムを備えた複合カムの全閉位置の展開図、
【図６】本発明の実施例におけるプッシュオープンヒンジ部の全開型インナーカムを備えた複合カムのボタンを押下して開く時の展開図、
【図７】本発明の実施例におけるプッシュオープンヒンジ部の全開型インナーカムを備えた複合カムの手動閉途中の展開図、
【図８】本発明の実施例におけるプッシュオープンヒンジ部の全開型インナーカムを備えた複合カムの全閉位置の展開図、
【図９】本発明の実施例におけるプッシュオープンヒンジ部のフリーストップ型インナーカムを備えた複合カムの全閉位置の展開図、
【図１０】本発明の実施例におけるプッシュオープンヒンジ部のフリーストップ型インナーカムを備えた複合カムのボタンを押下した時の展開図、
【図１１】本発明の実施例におけるプッシュオープンヒンジ部のフリーストップ型インナーカムを備えた複合カムの手動閉途中の展開図、
【図１２】本発明の実施例におけるプッシュオープンヒンジ部のフリーストップ型インナーカムを備えた複合カムの全閉位置の展開図、
【図１３】本発明の実施例におけるプッシュオープンヒンジ部の中間停止型インナーカムを備えた複合カムの全閉位置の展開図、
【図１４】本発明の実施例におけるプッシュオープンヒンジ部の中間停止型インナーカムを備えた複合カムのボタンを押下した時の展開図、
【図１５】本発明の実施例におけるプッシュオープンヒンジ部の中間停止型インナーカムを備えた複合カムの手動閉途中の展開図、
【図１６】本発明の実施例におけるプッシュオープンヒンジ部の中間停止型インナーカムを備えた複合カムの全閉位置の展開図、
【図１７】本発明の実施例におけるトーションバネヒンジ部の前面組立斜視図と前面分解斜視図、
【図１８】本発明の実施例におけるトーションバネヒンジ部の裏面組立斜視図と裏面分解斜視図、
【図１９】本発明の実施例におけるトーションバネヒンジ部のトーションバネの可動端部の動きを説明する図、
【図２０】本発明の実施例におけるセパレートプッシュオープンヒンジ装置のヒンジ取付時の状態を示す軸方向断面図、
【図２１】本発明の実施例におけるセパレートプッシュオープンヒンジ装置の全開時の状態を示す軸方向断面図、
【図２２】本発明の実施例におけるセパレートプッシュオープンヒンジ装置のフリーストップ時の状態を示す軸方向断面図、
【図２３】本発明の実施例におけるセパレートプッシュオープンヒンジ装置のカム頂点時と全閉時の状態を示す軸方向断面図、
【図２４】本発明の実施例におけるセパレートプッシュオープンヒンジ装置のボタンプッシュによる開放途中の状態を示す軸方向断面図、
【図２５】本発明の実施例におけるセパレートプッシュオープンヒンジ装置のボタンプッシュによる全開放時の状態を示す軸方向断面図である。
【符号の説明】
【００６８】
１  ボタン
２  フランジ
３  ケース
４  固定カム
５  キーシャフト
６  インナーカム
７  可動カム
８  第１圧縮スプリング
９  第２圧縮スプリング
10  第３圧縮スプリング
11  ストッパー
12  キャップ
13  ピン
14  ケース
15  ホルダ
16  バネ受けシャフト
17  トーションバネ
18  ストッパー
20  プッシュオープンヒンジ部
30  トーションバネヒンジ部
40  折畳型携帯電子機器
41  操作部筐体
42  表示部筐体
【図１】
2005240901.tif 000003
【図２】
2005240901.tif 000004
【図３】
2005240901.tif 000005
【図４】
2005240901.tif 000006
【図５】
2005240901.tif 000007
【図６】
2005240901.tif 000008
【図７】
2005240901.tif 000009
【図８】
2005240901.tif 000010
【図９】
2005240901.tif 000011
【図１０】
2005240901.tif 000012
【図１１】
2005240901.tif 000013
【図１２】
2005240901.tif 000014
【図１３】
2005240901.tif 000015
【図１４】
2005240901.tif 000016
【図１５】
2005240901.tif 000017
【図１６】
2005240901.tif 000018
【図１７】
2005240901.tif 000019
【図１８】
2005240901.tif 000020
【図１９】
2005240901.tif 000021
【図２０】
2005240901.tif 000022
【図２１】
2005240901.tif 000023
【図２２】
2005240901.tif 000024
【図２３】
2005240901.tif 000025
【図２４】
2005240901.tif 000026
【図２５】
2005240901.tif 000027